【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
以下の式：
【化１】
2012501377.tif 000001
〔式中、
(i)  Ａは、ソフトセグメントであり、
(ii)  Ｂは、ウレタン型三量体又はビウレット型三量体を含むハードセグメントであり、Ｂ’は、存在するときは、ウレタンを含むハードセグメントであり、かつ
(iii)  各Ｇは、表面活性基であり、
nは、0〜10の整数である〕
で示される、表面改質剤。
【請求項２】
前記ソフトセグメントが500〜3,500ダルトンの数平均分子量（Mn）を有する；あるいは
ソフトセグメントが、水素化ポリブタジエン（HLBH）、ポリ(2,2-ジメチル-1,3-プロピルカーボネート)（PCN）、ポリブタジエン（LBHP）、ポリテトラメチレンオキシド（PTMO）、ジエチレングリコール-無水オルトフタル酸ポリエステル(PDP)、ポリ(ヘキサメチレンカーボネート)ジオール、ヒドロキシル末端ポリジメチルシロキサン（PrO-PDMS-PrO）ブロックコポリマー、ポリ(テトラメチレンオキシド)ジオール、水素化ヒドロキシル末端ポリイソプレン、ポリ(エチレングリコール)-ポリ(プロピレングリコール)-ポリ(エチレングリコール)ブロックコポリマー、1,12-ドデカンジオール、水素化ポリイソプレン（HHTPI）、ポリ(ヘキサメチレンカーボネート)、ポリ(2-ブチル-2-エチル-1,3-プロピルカーボネート)、ヒドロキシル末端ポリジメチルシロキサンブロックコポリマー（C22）、又はアジピン酸ポリ（ジエチレングリコール）（PEGA)を含む；あるいは
前記ハードセグメントが、トリイソシアネートを前記ソフトセグメントを含むジオールと反応させることにより形成される（該トリイソシアネートは、ヘキサメチレンジイソシアネート（HDI）ビウレット型三量体、イソホロンジイソシアネート（IPDI）三量体、又はヘキサメチレンジイソシアネート（HDI）三量体から選択される）；あるいは
各表面活性基が100〜1,500Daの分子量を有する；あるいは
前記表面活性基が、ポリジメチルシロキサン、炭化水素、ポリフルオロアルキル、フッ素化ポリエーテル、及びそれらの組み合わせを含む；あるいは
nが0又は1である；あるいは
前記表面改質剤が、10,000ダルトン未満の理論分子量を有する；あるいは
前記表面改質剤が、5〜30%（w/w）の前記ハードセグメントと40〜90%（w/w）の前記ソフトセグメントと25〜55%（w/w）の前記表面活性基とを含む、
請求項１に記載の表面改質剤。
【請求項３】
前記表面活性基が、一般式CHmF(3-m)(CF2)rCH2CH2-及びCHmF(3-m)(CF2)s(CH2CH2O)χ-
〔式中、
mは、0、1、2、又は3であり、
χは、1〜10の整数であり、
rは、2〜20の整数であり、かつ
sは、1〜20の整数である〕
で示される基からなる群より選択される、請求項１に記載の表面改質剤。
【請求項４】
mが0又は1であり；あるいは
各表面活性基が、独立して、(CF3)(CF2)5CH2CH2O-、(CF3)(CF2)7CH2CH2O-、(CF3)(CF2)5CH2CH2O-、CHF2(CF2)3CH2O-、及び(CF3)(CF2)2CH2O-から選択される、請求項３に記載の表面改質剤。
【請求項５】
前記表面改質剤が、
a)  ビウレット型三量体又はウレタン型三量体を含む溶液を、前記表面活性基を含む溶液と混合する工程、及び
b)  (a)の生成物を、前記ソフトセグメントを含む溶液と混合する工程、
を含むプロセスにより形成される
（工程(a)又は工程(b)はビスマス触媒の存在下で行われる；あるいは工程(a)及び工程(b)の両方はビスマス触媒の存在下で行われる）、
請求項１〜４のいずれか１項に記載の表面改質剤。
【請求項６】
式(I)：
【化２】
2012501377.tif 000002
〔式中、
(i)  Ａは、Ｂにそれぞれ共有結合された2個のヒドロキシル末端基を含むソフトセグメントであり、
(ii)  Ｂは、トリイソシアネートを含むハードセグメントであり、かつ
(iii)  各Ｇは、表面活性基であり、しかも
(iv)  nは、0〜10の整数である〕
で示される表面改質剤の熱分解温度を増大させる方法であって、
以下の工程：
(a)  トリイソシアネートをモノヒドロキシル表面活性基と反応させる工程、及び
(b)  (a)の生成物をソフトセグメントジオールと反応させる工程、
を含み、
工程(a)又は(b)がビスマス触媒の存在下で行われる、
上記方法。
【請求項７】
前記ジオールソフトセグメントが、水素化ヒドロキシル末端ポリブタジエン（HLBH）、ポリ(2,2-ジメチル-1,3-プロピルカーボネート)ジオール（PCN）、ヒドロキシル末端ポリブタジエンポリオール（LBHP）、ポリテトラメチレンオキシド（PTMO）、ジエチレングリコール-無水オルトフタル酸ポリエステルポリオール（PDP）、水素化ヒドロキシル末端ポリイソプレン（HHTPI）、ポリ(ヘキサメチレンカーボネート)ジオール、ポリ(2-ブチル-2-エチル-1,3-プロピルカーボネート)ジオール、又はヒドロキシル末端ポリジメチルシロキサンブロックコポリマー（C22）を含む；あるいは
工程(a)が、モノヒドロキシル表面活性基をHLBH又はPCNと反応させることを含む；あるいは
前記トリイソシアネートが、ヘキサメチレンジイソシアネート（HDI）ビウレット型三量体、イソホロンジイソシアネート（IPDI）三量体、又はヘキサメチレンジイソシアネート（HDI）三量体を含む；あるいは
前記モノヒドロキシル表面活性基が、一般式CHmF(3-m)(CF2)rCH2CH2-OH及びCHmF(3-m)(CF2)s(CH2CH2O)χ-CH2CH2OH〔式中、mは、0、1、2、又は3であり、χは、0〜10の整数であり、rは、2〜20の整数であり、かつsは、1〜20の整数である〕で示される化合物から選択される、
請求項６に記載の方法。
【請求項８】
(i)  Ａは、アジピン酸ポリ（ジエチレングリコール）（PEGA)、水素化ポリブタジエン（HLBH）、ポリテトラメチレンオキシド（PTMO）、ポリ(エチレングリコール)-ポリ(プロピレングリコール)-ポリ(エチレングリコール)ブロックコポリマー、又はポリジメチルシロキサンブロックコポリマー（C22）から選択されるソフトセグメントであり、
(ii)  Ｂは、ヘキサメチレンジイソシアネート（HDI）ビウレット型三量体、イソホロンジイソシアネート（IPDI）三量体、又はヘキサメチレンジイソシアネート（HDI）三量体から形成されるウレタン型三量体又はビウレット型三量体であり、Ｂ’は、存在するときは、ウレタンを含むハードセグメントであり、かつ
(iii)  各Ｇは、ポリフルオロアルキルを含む表面活性基である、
請求項１記載の表面改質剤。
【請求項９】
Ａは、ポリジメチルシロキサンブロックコポリマー（C22）である、請求項８記載の表面改質剤。
【請求項１０】
Ａは、ポリテトラメチレンオキシド（PTMO）である、請求項８記載の表面改質剤。
【請求項１１】
式(I)で示される構造を有し、熱分解温度が200℃〜450℃、又は200℃〜345℃である、請求項１又は２に記載の表面改質剤。
【請求項１２】
式(II)で示される構造を有し、熱分解温度が250℃〜450℃、又は200℃〜345℃である、請求項１又は２に記載の表面改質剤。
【請求項１３】
SMM1、SMM2、SMM3、SMM4、SMM5、SMM6、SMM7、SMM8、SMM9、SMM10、SMM11、SMM12、SMM13又はSMM14である、請求項１記載の表面改質剤。
【請求項１４】
ベースポリマーと混合された、請求項１〜５又は８〜１３のいずれか１項に記載の表面改質剤を含む、混加物。
【請求項１５】
前記ベースポリマーが、ポリ塩化ビニル、ポリエチレン、ポリプロピレン、ポリスチレン、ポリエステル、ポリアミド、ポリカーボネート、ポリオキシメチレン、ポリアクリレート、ポリメタクリレート変性ポリスチレン、高耐衝撃性ポリスチレン（SB)、フルオロプラスチック、ポリ（フェニレンオキシド）-ポリスチレン及びポリカーボネート-ABS；液晶ポリマー（LCP)、ポリエーテルケトン（PEEK)、ポリスルホン、ポリイミド、ポリエーテルイミド；アルキド樹脂、フェノール樹脂、アミノ樹脂、エポキシ樹脂、不飽和ポリエステル、ポリウレタン、アリル系化合物、フルオロエラストマー、及びポリアクリレート、並びにそれらのブレンドから選択される、請求項１４記載の混加物。
【請求項１６】
前記ベースポリマーが、ポリ（エチレンテレフタレート）であるポリエステルである、請求項１４記載の混加物。
【請求項１７】
前記ベースポリマーが、ポリプロピレンである、請求項１４記載の混加物。
【請求項１８】
前記ベースポリマーが、ポリウレタンから選択される、請求項１４記載の混加物。
【請求項１９】
前記ベースポリマーが、ポリカーボネートから選択される、請求項１４記載の混加物。
【請求項２０】
請求項１４に記載の混加物から形成される物品。
【請求項２１】
前記物品が、手術帽、サージカルシート、サージカルカバークロス、サージカルガウン、マスク、手袋、サージカルドレープ、フィルター、ケーブル、フィルム、パネル、パイプ、ファイバー、シート又はインプラント可能な医療用デバイスから選択される、請求項２０に記載の物品。
【請求項２２】
物品の製造方法であって、
(i)  ベースポリマーを、請求項１〜５又は８〜１３のいずれか１項に記載の表面改質剤と混合して混合物を形成する工程、及び
(ii)  該混合物を少なくとも200℃に加熱する工程、
を含む、上記方法。
【請求項２３】
工程(ii)が、前記混合物を220℃〜345℃の温度に加熱することを含む、請求項２２に記載の方法。
【請求項２４】
表面改質剤をベースポリマーと共にアニールすることにより撥性を増大させる方法であって、アニーリング温度が50℃〜75℃でありかつアニーリング時間が1〜24時間である（前記表面改質剤は、以下の構造：
【化３】
2012501377.tif 000003
〔式中、
(i)  Ａは、ソフトセグメントであり、
(ii)  Ｂは、ウレタン型三量体又はビウレット型三量体を含むハードセグメントであり、かつ
(iii)  各Ｇは、表面活性基であり、
ｎは、0〜10の整数であり、該表面改質剤は、250℃〜450℃の熱分解温度を有する〕；
あるいは
【化４】
2012501377.tif 000004
〔式中、
(i)  Ａは、ソフトセグメントであり、
(ii)  Ｂは、ウレタン型三量体又はビウレット型三量体を含むハードセグメントであり、
(iii)  Ｂ'は、ウレタンを含むハードセグメントであり、かつ
(iv)  各Ｇは、表面活性基であり、
nは、0〜10の整数であり、該表面改質剤は、200℃〜450℃の熱分解温度を有する〕を有する）、上記方法。